(57)【要約】【課題】内容物を噴射して使用に供する容器に、使い勝手の良い工具を、粘着テープなどを使用することなく取り付けて販売し得るようにする手段を提供する。  【解決手段】内容物噴射ノズル（12）を具備する気密な容器（10）と、容器（10）外径と略同等の長さと、その内容物の使用に適した形態及び性状を有する、少なくとも一本の工具（20）と、工具（20）の収容部が形成された取っ手  部（32）と、取っ手（32）の一端に設けられ、それぞれの自由端部に工具（20）を保持し得るよう対をなして設けられた一対の工具保持部（34、34）を有し、取っ手（32）が容器（10）の外側面に密着せしめられたとき、着脱自在に容器（10）を抱擁、挟持し得る一対の取付腕部（36、36）とから成る工具保持具（30）と、からなる工具付内容物噴射容器。【選択図】        図１
2005047588.tif 000002
【特許請求の範囲】
【請求項１】
内容物を噴出し得るノズル（12）を具備する気密な内容物噴射容器（10）と、
容器（10）外径と略同等の長さと、その内容物の使用に適した形態及び性状を有する、少なくとも一本の工具（20）と、  工具（20）の収容部が形成された取っ手部（32）と、取っ手（32）の一端に設けられ、それぞれの自由端部に工具（20）を保持し得るよう対をなして設けられた一対の工具保持部（34、34）を有し、取っ手（32）が容器（10）の外側面に密着せしめられたとき、着脱自在に容器（10）を抱擁、挟持し得る一対の取付腕部（36、36）とから成る工具保持具（30）と、
からなる工具付内容物噴射容器。
【請求項２】
工具保持具（30）の取っ手（32）と取付腕部（36，36）とが、容器(１０)に取り付けられたとき容器側となる側が開放された断面コの字形の殻構造を有し、かつそれらの連結部において約120℃の角度をなして結合されている、請求項1に記載の工具付内容物噴射容器。
【請求項３】
一対の取付腕部（36、36）の先端に設けられる工具保持部（34、34）が、取付腕部（36、36）の先端に、その丸みと同芯に設けられた丸孔と、その丸孔に連なるスリットにより形成された一対の挟持鈎から成る請求項1または2に記載の工具付内容物噴射容器。
【請求項４】
一対の取付腕部（36、36）の先端に設けられる工具保持部（34、34）が、互いに相対向するよう取付腕部（36、36）の先端部に設けた凹面を有する請求項1乃至3の何れか1に記載の工具付内容物噴射容器。
【請求項５】
工具保持具（30）の取っ手（32）が、真直である請求項1乃至４の何れか1に記載の工具付内容物噴射容器。
【請求項６】
工具保持具（30）の取っ手（32）が楕円弧状に緩やかに湾曲した請求項1乃至４の何れか1に記載の工具付内容物噴射容器。
【請求項７】
工具(20)がガラスクリーナー(21)である請求項1乃至６の何れか1に記載の工具付内容物噴射容器。
【請求項８】
工具(20)がフェルト製クリーナー(22)である請求項1乃至６の何れか1に記載の工具付内容物噴射容器。
【請求項９】
工具(20)がポリッシャー(23)である請求項1乃至６の何れか1に記載の工具付内容物噴射容器。
【請求項１０】
工具(20)がフェルト製ローラー(24)である請求項1乃至６の何れか1に記載の工具付内容物噴射容器。
【請求項１１】
工具(20)がブラシ(25)である請求項1乃至６の何れか1に記載の工具付内容物噴射容器。
【請求項１２】
エアゾール容器である、請求項1乃至11の何れか1に記載の工具付内容物噴射容器。
【請求項１３】
トリガ付内容物噴射ポンプを具備する、請求項1乃至11の何れか1に記載の工具付内容物噴射容器。
【請求項１４】
容器本体部が軟質合成樹脂からなる搾り出し容器である、請求項1乃至１１の何れか1に記載の工具付内容物噴射容器。
【発明の詳細な説明】
【技術分野】
【０００１】
本発明は、ノズルを具備し、洗浄剤や塗料などの内容物を噴出させて使用に供する内容物噴射容器、特にその内容物の使用に便利な工具を具備した内容物噴射容器に関する。
【背景技術】
【０００２】
洗浄剤、殺菌剤、消毒剤、殺虫剤、芳香剤、消臭剤、防カビ剤などの薬剤や、ペンキ、研磨剤、艶出剤、ワックス、接着剤などの多くは噴射ノズル付の容器に入れられて販売されている。
これらの容器には、封入された高圧ガスで内容物を噴霧するエアゾールタイプのもの、トリガつきの噴射ポンプを有するもの、容器を手で握り潰すことによりノズルから内容物を噴出させる搾り出し容器などがあり、内容物には、粘度の低いもののみでなく極めて高粘度のものがあり、また更に、固形物を含むものや、噴射時に数種の液を混合するもの、噴出物を発泡させるものなどもある。
【０００３】
これらの薬剤、塗料などは、使用時、対象物に向けて噴射される。
噴射したままでよい場合もあるが、その後で塗り広げたり、擦り付けたり、擦ったり、拭き取ったりしなければならないことが多い。
内容物の性質から、このようなことが必要となると予想される容器では、利用者の便宜を図るため、作業に用いる刷毛などを、容器に取り付けて販売することが提案されている。
【０００４】
然しながら従来公知のものは、容器の側面に刷毛などを粘着テープで止めていたので、生産性が悪い上、見た目もが悪く、保管、販売時に破損することが多く、更にユーザーが使用する際、取り外しに不便でその際も損傷し易く、かつ一旦使用した後の保管にも不便が多かった。
【０００５】
このため、トリガ付きポンプの後部にブラシの収納部を設けることが提案されており、又、容器のキャップにブラシを設けたり、キャップ自体にブラシの毛を植え、それをブラシとして使用したりすることも提案されているが、これらはブラシとしての使い勝手が悪く、不評である。
【特許文献１】特開平09−075127号公報
【特許文献２】特開2001−133730号公報
【発明の開示】
【発明が解決しようとする課題】
【０００６】
本発明は叙上の問題点を解決するためなされたものであり、内容物を噴射若しくは噴出させ、又は、押し出して使用に供する容器に、使い勝手の良い工具を、粘着テープなどを使用することなく取り付けて販売し得るようにする手段を提供することにある。  
【課題を解決するための手段】
【０００７】
本発明の叙上の課題は、使用目的に適した工具を、円筒状の容器に容易に着脱し得る工具保持具の取っ手の内部に収容し、容器に取り付け得るよう構成することによって達成される。
工具保持具は、容器を抱擁し得るヨークを備え、これにより容器に着脱自在に構成される。一方、ヨークの先端には工具の両端を保持し得るよう工具の形状に適合した工具保持部が対を成して設けられる。
【０００８】
工具としては、ゴム製のスクレーパー状のガラスクリーナー、塗布用又は拭き擦り用のフェルト製のワイパーやローラーなどが用途に応じて用いられる。
【発明の効果】
【０００９】
本発明によるときは、使用に便利な工具を添付して薬剤等の容器を販売、提供することができる。
【発明を実施するための最良の形態】
【００１０】
以下、図面により本発明の実施例について説明する。
【実施例１】
【００１１】
図1は本発明にかかる内容物噴射容器の第一実施例を示す正面図、図2はその側面図、図3は、上記図1及び2に示した工具保持具の正面図、図4はその側面図である。
【００１２】
図1および図２において、10はノズル12を有する搾り出し型の薬剤容器であり、20は工具、30は工具20を保持する工具保持具である。
【００１３】
本実施例においては、薬剤容器10は、円筒状の合成樹脂製の容器であり、容器を逆さまにした状態で、その胴部を押し潰し、内部の中性洗剤などの内容物を噴出させるタイプものである。但し、本願発明はこのような倒立使用型の容器に限らず、正立使用型、横倒し使用型等の容器にも適用できるものである。
【００１４】
工具保持具30は、図３及び図４に示すように、取っ手３２と、工具２０の適所、例えばその両端部を保持する工具保持部3４、３４を備えた一対の取付腕部３６、３６とから成る。
【００１５】
この取付腕部36、36は、ヨーク状又は二又で、取っ手32に対し約120度の角度をなして斜めになっており、取っ手32が、円筒状の薬剤容器１０の外側面に、その母線に沿って取り付けられたとき、容器10の胴部を抱擁し、工具保持具３０が容器10の側壁面に沿って取り付けられるようになっている。
このため、取付腕部36、36をその鉛直投影図で見たときは、容器10の外周の約2分の1強となるような長さが与えられている。
【００１６】
取っ手32及び取付腕部36，36の断面形状はコの字型の殻構造とし、取っ手32の内部には工具20を収納するようにする。このため、取っ手32の内部には適宜の工具係止用の突起などを設けておくことが推奨される。
【００１７】
尚、本実施例において、取っ手３２は真っ直ぐな形状で、工具保持具30は側面から見たときへの字状となっておいるが、取っ手32は、円筒容器に斜めに取り付けるようにするため、楕円弧状に曲げることもあり、取付腕部36、36も、側面図において円弧状などにすることができるものである。
係止溝14は、突起としても良く、又、特に設けなくても差し支えない。
【実施例２】
【００１８】
図5はガラスクリーナーとして構成された工具の断面図である。
図５に示す工具21は、ガラスクリーニング用のクリーナーであり、硬質ゴム製のスクレーパー211と、それを保持するプラスチック製の保持具212とから成る。
スクレーパー211は、保持具212に設けた溝内に堅く嵌め込まれており、工具21の全長は工具保持具30の取付腕部36、36の外側面間距離と等しいか、それよりも長く構成されており、保持具212の両端部又はそれより中心寄りの位置で、取付腕部36、36の先端に設けられた工具保持具34、34により挟持され、使用に供されるものである。
この工具を使用するときは、ガラス面に洗浄剤を吹き付け、この工具21で塗り広げ、上方から下方に向けて一気に拭き取り、ガラス面を清掃するものである。
【実施例３】
【００１９】
図6は、フェルト製のクリーナーを示す断面図である。
この工具２２は、やや固めのフェルト片222を保持具221に設けた溝に挿入して成るものである。フェルト片222は、適宜の接着剤、ピンなどで固定することが望ましい。
これは、車や家具などのワックスがけ、艶出しなどに用いられる。
【実施例４】
【００２０】
図7はやや硬質の工具の断面図である。
図7に示す工具23は、工具22より硬いポリッシャー若しくはクリーナーであり、不織布から成る研摩布231、合成樹脂製の芯材２３２及び保持具233から成る。
この工具23は、工具22と同様な用途に用いられるが、硬質であるので、強く押し擦り、汚れなどを落としたり、磨いたりする用途に供することができる。
【実施例５】
【００２１】
図8はペイントなどの塗布用スポンジローラーの正面図である。
図８に示す24は、スポンジローラー241と、その軸242とから成る。このローラー又はペンキを塗布する面にペンキを吹き付けた後、このローラーで塗り広げ、均一に塗布するため用いられる。
【００２２】
図9はブラシ状工具の正面図である。
図9に示す25は、ブラシ状若しくは櫛状の工具であり、軟質の歯を多数有し、犬猫の毛や、毛足の長い絨毯などに吹き付けた噴出物を毛の中に梳き込むためなどに用いられる。
【００２３】
本発明の構成は叙上の実施例に限定されるものでなく、例えば工具としては、内容物の性状と使用目的に合わせて、上記以外の様々なものが考案でき、更に例えば、内容物が芳香剤などの場合、芳香剤を吹きかけて飾るフラワーアレンジメントなどであっても良く、容器の栓抜きや缶切、エアゾール缶を廃棄するとき使用する穴あけ具なども考えられ、又、添付する工具も1本に限定されるものでなく、複数とすることができ、容器も完全な円筒状のものでなく、扁平な楕円筒状や円錐台形状などであって良く、更にはほぼ直方体形状のものにも適用でき、本発明は上記の説明から容易に着想し得る全ての変更例を包摂するものである。
【産業上の利用可能性】
【００２４】
本発明によれば、広く用いられているエアゾール缶その他の容器入り薬剤、塗料等の使い勝手を改善できるのから、これを実施すれば工業上多大の利益がある。
【図面の簡単な説明】
【００２５】
【図１】本発明にかかる内容物噴射装置の一実施例を示す正面図である。
【図２】図１に示した内容物噴射装置の側面図である。
【図３】図1及び2に示した工具保持具の正面図である。
【図４】図３に示した工具保持具の側面図である。
【図５】ガラスクリーナーとして構成された工具の断面図である。
【図６】フェルトワイパーの断面図である。
【図７】やや硬質のワイパー又はポリッシャーとして用いられる工具の断面図である。
【図８】塗布用のスポンジローラーの正面図である。
【図９】ブラシ状又は櫛状の工具の正面図である。
【符号の説明】
【００２６】
10  容器
20 工具
21 ガラスクリーナー
22 フエルト製クリーナー
23 ポリッシャー
24 スポンジローラー
25 ブラシ又は櫛状の工具
30 工具保持具
32  取っ手
34 工具保持部
36  取付腕部
【図１】
2005047588.tif 000003
【図２】
2005047588.tif 000004
【図３】
2005047588.tif 000005
【図４】
2005047588.tif 000006
【図５】
2005047588.tif 000007
【図６】
2005047588.tif 000008
【図７】
2005047588.tif 000009
【図８】
2005047588.tif 000010
【図９】
2005047588.tif 000011